(57)【特許請求の範囲】
【請求項１】
被写体側から順に連続して配置された第１レンズおよび第２レンズと、
前記第１レンズと前記第２レンズとを内蔵する鏡筒本体と、
前記鏡筒本体内の前記第１レンズと前記第２レンズとの間に設けられた電気基板と、
前記鏡筒本体内の前記第１レンズと前記第２レンズとの間に設けられ、かつ、前記電気基板より前記被写体側に設けられた可変絞りユニットとを有し、
前記電気基板は前記鏡筒本体に入射され、前記可変絞りユニットの開口を通過する光のうち結像に寄与しない光を遮断可能な位置に配置されていることを特徴とするレンズ鏡筒。
【請求項２】
前記電気基板の側面に、前記第１レンズと前記第２レンズとを含む光学系の光軸に対して傾斜する斜面が形成されていることを特徴とする請求項１記載のレンズ鏡筒。
【請求項３】
前記電気基板の側面に遮光線が形成されていることを特徴とする請求項１又は２記載のレンズ鏡筒。
【請求項４】
前記電気基板はガラスエポキシ基板であることを特徴とする請求項１〜３のいずれか１項記載のレンズ鏡筒。
【請求項５】
前記電気基板は積層基板であることを特徴とする請求項１〜３のいずれか１項記載のレンズ鏡筒。
【請求項６】
前記電気基板に反射防止塗料が塗布されていることを特徴とする請求項１〜５のいずれか１項記載のレンズ鏡筒。
【請求項７】
請求項１〜６のいずれか１項記載のレンズ鏡筒を備えていることを特徴とする光学装置。
【発明の詳細な説明】
【技術分野】
【０００１】
この発明はレンズ鏡筒及び光学装置に関する。
【背景技術】
【０００２】
従来、フレア絞りを、第３レンズ群（カム筒の一番後方に配置されているレンズ群）に対し相対的に光軸方向に移動させてフレアを防止するレンズ鏡筒が知られている（下記特許文献参照）。
【先行技術文献】
【特許文献】
【０００３】
【特許文献１】特開平５−１８８２７４号公報
【発明の概要】
【発明が解決しようとする課題】
【０００４】
フレアを防止するために専用のフレア絞りを用いたときには、レンズ鏡筒へのフレア絞りの取付け加工が必要になるだけでなく、フレア絞りに関連する部品も必要になるので、製造コストが上昇する。また、フレア絞りに関連する部品の配置には制約が伴うため、設計の自由度が損なわれる。
【０００５】
この発明はこのような事情に鑑みてなされたもので、その課題はフレアを防止しつつ製造コストを削減できるとともに、設計の自由度を広げることができるレンズ鏡筒及び光学装置を提供することである。
【課題を解決するための手段】
【０００６】
上記課題を解決するため請求項１記載の発明は、被写体側から順に連続して配置された第１レンズおよび第２レンズと、前記第１レンズと前記第２レンズとを内蔵する鏡筒本体と、前記鏡筒本体内の前記第１レンズと前記第２レンズとの間に設けられた電気基板と、前記鏡筒本体内の前記第１レンズと前記第２レンズとの間に設けられ、かつ、前記電気基板より前記被写体側に設けられた可変絞りユニットとを有し、前記電気基板は前記鏡筒本体に入射され、前記可変絞りユニットの開口を通過する光のうち結像に寄与しない光を遮断可能な位置に配置されていることを特徴とする。
【０００７】
請求項２に記載の発明は、請求項１記載のレンズ鏡筒において、前記電気基板の側面に、前記第１レンズと前記第２レンズとを含む光学系の光軸に対して傾斜する斜面が形成されていることを特徴とする。
【０００８】
請求項３に記載の発明は、請求項１又は２記載のレンズ鏡筒において、前記電気基板の側面に遮光線が形成されていることを特徴とする。
【０００９】
請求項４に記載の発明は、請求項１〜３のいずれか１項記載のレンズ鏡筒において、前記電気基板はガラスエポキシ基板であることを特徴とする。
【００１０】
請求項５に記載の発明は、請求項１〜３のいずれか１項記載のレンズ鏡筒において、前記電気基板は積層基板であることを特徴とする。
【００１１】
請求項６に記載の発明は、請求項１〜５のいずれか１項記載のレンズ鏡筒において、前記電気基板に反射防止塗料が塗布されていることを特徴とする。
【００１２】
請求項７に記載の発明は、請求項１〜６のいずれか１項記載のレンズ鏡筒を備えていることを特徴とする光学装置である。
【発明の効果】
【００１３】
この発明によれば、フレアを防止しつつ製造コストを削減できるとともに、設計の自由度を広げることができる。
【図面の簡単な説明】
【００１４】
【図１】図１はこの発明の一実施形態に係るレンズ鏡筒の上半部の断面を示す概念図である。
【図２】図２（ａ）は図１の部分拡大図、図２（ｂ）は遮光線が形成されたプリント基板の断面を示す概念図である。
【発明を実施するための形態】
【００１５】
以下、この発明の実施の形態を図面に基づいて説明する。
【００１６】
図１はこの発明の一実施形態に係るレンズ鏡筒１００の上半部の断面を示す概念図、図２（ａ）は図１の部分拡大図である。
【００１７】
レンズ鏡筒１００の略円筒状の固定鏡筒（鏡筒本体）２の後端にはカメラボディ（光学装置）２００との接合機構であるレンズマウント１が設けられている。
【００１８】
レンズ鏡筒１００には撮影光学系（光学系）を構成する２組のレンズＬ１，Ｌ２が内蔵されている。前側（被写体側）のレンズＬ１は固定鏡筒２の内径２ａに取り付けられ、後側（撮像面２０側）のレンズＬ２は固定鏡筒２の内径２ｄに取り付けられている。レンズＬ１の一方の面Ｒ２は胴付け部２ｂに当接し、他方の面Ｒ１は押さえ環１１によってレンズＬ２側へ付勢されている。押さえ環１１の螺合部１１ａが固定鏡筒２の内周面に形成された螺合部２ｃに螺合している。
【００１９】
また、レンズＬ２の一方の面Ｒ３は胴付け部２ｅに当接し、他方の面Ｒ４は押さえ環１２によってレンズＬ１側へ付勢されている。押さえ環１２の螺合部１２ａが固定鏡筒２の内周面に形成された螺合部２ｆに螺合している。
【００２０】
また、レンズ鏡筒１００には可変絞りユニット３０と電気ユニット４０とが内蔵され、それらのユニット３０，４０はレンズＬ１とレンズＬ２との間に位置する。
【００２１】
可変絞りユニット３０は、ダボ６を介して絞り羽根５を回転可能に支持するいわゆる蜂の巣３と、絞り羽根５に設けられたダボ７と係合するカム溝４ｂを有し、ダボ７を介して絞り羽根５に駆動力を伝達して絞り羽根５の絞り径を変更するいわゆる矢車４とを備える。矢車４の外径４ａが蜂の巣３の内径３ｂに回転可能に嵌合している。矢車４は、カメラボディ（又はレンズ鏡筒）からの指示にしたがって例えばモータ（図示せず）によって駆動される。
【００２２】
蜂の巣３は固定鏡筒２の内径２ｇに嵌入され、胴付け面２ｈに当接し、固定鏡筒２にビス８で固定されている。蜂の巣３には絞り羽根５に固定されたダボ６が嵌合する嵌合穴３ｅが形成されている。蜂の巣３にはその側面３ｃに連なる斜面３ｄが形成されている。斜面３ｄは撮像面２０側にある。斜面３ｄを形成することによって側面３ｃの面積を非常に小さくでき、側面３ｃでの反射光を低減できる。蜂の巣３の側面３ｃの端面３ｆ（前側端部）によって絞り開放Ｆ値が決められる。
【００２３】
電気ユニット４０は、プリント基板（電気基板）９とプリント基板９の両面にそれぞれ搭載された電気部品９ａ，９ｂとを備える。プリント基板９の厚さは０．８ｍｍ程度であり、プリント基板９は円環状である。プリント基板９の開口面は光軸Ｌに直交する。プリント基板９は、ガラスエポキシ基板、積層基板等のリジッド基板である。なお、プリント基板９としてはリジッド基板だけでなくフレキシブル基板（ＦＰＣ）を用いることもできる。
【００２４】
プリント基板９は固定鏡筒２の内径２ｉに嵌入されている。プリント基板９の外径９ｃが内径２ｉに当接している。プリント基板９の後側の面は胴付け面２ｊに当接している。プリント基板９は固定鏡筒２にビス１０で固定されている。プリント基板９は、フレアが発生しないように、固定鏡筒２に入射する光のうち結像に寄与しない光を遮断可能な位置（図１参照）に配置されている。
【００２５】
また、プリント基板９にはその側面９ｄに連なる斜面９ｅが形成されている。斜面９ｅは撮像面２０側にある。側面９ｄ及び斜面９ｅには黒いつや消し塗料等の反射防止塗料（図示せず）が塗布されている。塗料の反射率は固定鏡筒２の内壁の反射率よりも低い。プリント基板９に斜面９ｅを形成することによって側面９ｄの面積が非常に小さくなるので、側面９ｄにおける表面反射はほとんどなく、高い反射防止効果が得られ、フレアがより防止される。
【００２６】
なお、プリント基板９の側面９ｄに遮光線（図示せず）を形成できれば、反射防止効果が高まり、フレアをより確実に防止することができる。
【００２７】
また、光軸Ｌから見て側面９ｄが線状（ナイフエッジ形状）になる程度に側面９ｄの面積を小さくすることができれば、反射防止効果が高まり、フレアをより確実に防止することができる。
【００２８】
更に、斜面９ｅを形成しないで、図２（ｂ）に示すようにプリント基板（電気基板）１９の側面１９ｄに遮光線５０を形成するようにしてもよい。
【００２９】
図２（ｂ）はこの発明の変形例に係るレンズ鏡筒のプリント基板１９の一部の断面を示す概念図である。
【００３０】
側面１９ｄの断面形状は鋸歯形状をしており、レンズ鏡筒１００に入射した光のうち側面１９ｄに入射する光を撮像面２０へ反射させない。したがって、遮光線５０によっても斜面９ｅを形成するのと同様にフレアを防止できる。遮光線５０を形成した後、側面１９ｄに反射防止塗料を塗布する。
【００３１】
上記レンズ鏡筒１００に入射する有効光線（レンズ鏡筒１００の前側から入射して撮像面２０に到達する光線）を図１を用いて説明する。
【００３２】
図１において光線Ｋ１〜Ｋ７がレンズ鏡筒１００のレンズＬ１，Ｌ２を通過する光線のうち、撮像面２０に形成される撮像面２０の対角線方向の最も外側に照射される有効光線を示している。なお、Ｋ１，Ｋ２，Ｋ３，Ｋ４，Ｋ５，Ｋ６及びＫ７は、それぞれレンズ鏡筒１００の前側からレンズＬ１に入射する光線、レンズＬ１の面Ｒ１を通過しレンズ１内を直進する光線、レンズＬ１の面Ｒ２を通過し蜂の巣３の側面３ｃの端面３ｆを通過する光線、絞り羽根５の開口及びプリント基板９の側面９ｄの端面９ｆを通過する光線、プリント基板９の側面９ｄの端面９ｆを通過し面Ｒ３に入射する光線、レンズＬ２の面Ｒ３を通過しレンズ２内を直進する光線及びレンズＬ２の面Ｒ４を通過し撮像面２０に入射する光線である。
【００３３】
レンズ鏡筒１００を通過して撮像面（又はフィルム面）２０に入射する光のうち、被写体像を形成するために必要な光以外の不要な光がプリント基板９によって遮断され、鮮明な画像の形成に悪影響を及ぼすフレアが防止される。
【００３４】
この実施形態によれば、フレアを防止するために専用のフレア絞りを用いないので、フレア絞りの取付け加工やフレア絞りに関連する部品が不要になり、レンズ鏡筒１００の部品点数を削減でき、製造コストを削減できる。また、フレア絞りに関連する部品をどのように配置するかという問題を解消でき、設計の自由度を広げることができる。
【００３５】
なお、上記実施形態では、プリント基板９をレンズＬ１とレンズＬ２との間に１つだけ配置したが、固定鏡筒２に入射する光のうち結像に寄与しない光を遮断可能な位置であれば、複数のプリント基板９をレンズＬ１の前側やレンズＬ２の後側にも配置してもよい。
【００３６】
また、上記実施形態では、プリント基板９に斜面９ｅを形成し、側面９ｄ及び斜面９ｅに黒いつや消し塗料を塗布したり、側面９ｄに遮光線５０を形成し、側面１９ｄに黒いつや消し塗料を塗布したりしたが、これらの構成がなくても本願発明の課題を解決することができる。
【符号の説明】
【００３７】
２：固定鏡筒（鏡筒本体）、９，１９：プリント基板（電気基板）、９ｅ：斜面、５０：遮光線、１００：レンズ鏡筒、２００：カメラボディ（光学装置）、Ｌ：光軸、Ｌ１，Ｌ２：レンズ。
【図１】
0005807837.tif 000002
【図２】
0005807837.tif 000003